(57)【要約】【課題】明るい環境下においても、見易い表示装置を提供する。【解決手段】通常表示モード（カラー表示モード）と高コントラスト表示モード（白黒表示モード）を選択的に表示可能な背面液晶モニタ２６と、環境光量を検出する外光センサ２１４を備えており、この外光センサ２１４検出された環境光量に基づく輝度値が所定値（ＢＶ１５）より高輝度の場合には、（Ｓ３５）、背面液晶モニタ２６の表示を通常表示（Ｓ３９）から高コントラスト（Ｓ４３）に切り換える。【選択図】  図１
2008170883.tif 000002
【特許請求の範囲】
【請求項１】
カラー表示モードとモノクローム表示モードのいずれかを選択的に表示可能な表示手段と、
環境光量を検出する検知手段と、
この検知手段によって検出された上記環境光量に基づいて、上記表示手段をカラー表示モードまたはモノクローム表示モードに設定する制御手段と、
を具備することを特徴とする表示装置。
【請求項２】
上記制御手段は、上記環境光量が所定値より大きい場合には、上記表示手段をカラー表示モードからモノクローム表示モードに設定することを特徴とする請求項１に記載の表示装置。
【請求項３】
上記表示手段は、映像を表示する画像表示モードと、文字・記号で制御情報を表示する文字表示モードを選択的表示可能であり、上記制御手段は、上記文字表示モードの際に、上記環境光量に応じてカラー表示モードかモノクローム表示モードのいずれかを選択することを特徴とする請求項１に記載の表示装置。
【請求項４】
カラー表示可能な液晶パネルを有する表示手段と、
環境光量を検出する検知手段と、
を具備し、
上記環境光量が所定値よりも大きい場合には、カラー表示に代えてモノクローム表示を行うことを特徴とする表示装置。
【請求項５】
文字または画像を表示可能な液晶パネルを有する表示手段と、
環境光量を検出する検知手段と、
を具備し、上記環境光量が所定値よりも大きい場合には、上記表示パネルの表示を高コントラスト表示状態に設定することを特徴とする表示装置。
【請求項６】
カラー表示モードと高コントラスト表示モードのいずれかを選択的に表示可能な表示手段と、
環境光量を検出する検知手段と、
この検知手段によって検出された上記環境光量が所定値より明るい場合には、上記表示手段をカラー表示モードから高コントラスト表示モードに切り換える制御手段と、
を具備することを特徴とするカメラ。
【請求項７】
上記カメラは、撮影モード及び撮影条件のいずれかを設定する設定手段と、被写体像を撮像し、画像信号を出力する撮像手段とを有し、上記表示手段は、上記設定手段によって設定された上記撮影モードや上記撮影条件を表示する撮影情報表示モードと、上記画像信号に基づく画像を表示する画像表示モードを有することを特徴とする請求項６に記載のカメラ。
【請求項８】
上記制御手段は、上記撮影情報表示モードが設定されている場合であって、上記環境光量が所定値より明るい場合に、上記表示手段をカラー表示モードから高コントラスト表示モードに切り換えることを特徴とする請求項７に記載のカメラ。
【請求項９】
上記高コントラストモードは、モノクローム表示であることを特徴とする請求項６に記載のカメラ。
【請求項１０】
上記検知手段は、上記表示手段の近傍に設けられた測光手段であることを特徴とする請求項６に記載のカメラ。
【請求項１１】
上記カメラは、さらに上記表示手段を照明する照明手段を有し、上記高コントラスト表示モードに切り替える際には、上記照明手段による照明を消灯させることを特徴とする請求項６に記載のカメラ。
【発明の詳細な説明】
【技術分野】
【０００１】
本発明は、表示装置に関し、詳しくは撮影情報等の文字情報を表示可能なカメラ等の電子機器に使用可能な表示装置に関する。
【背景技術】
【０００２】
文字情報を表示可能な電子機器、例えば一般的なデジタルカメラにおいては、絞り値やシャッタ速度等の撮影条件や撮影モード等の設定条件を表示可能な液晶表示パネルを有している。この種の液晶パネルは、ユーザに表示内容を見やすくするために、背面から白色ＬＥＤ等の照明装置（バックライト）によって照明されている。しかし、周囲光がバックライトよりも極端に明るいと、液晶表示パネルの表示内容が見え難くなるという問題がある。
【０００３】
従来、屋外など周囲光が強い環境下でカメラを使用する際、液晶パネルの表示面を覆うシェードが市販されている。また、特許文献１には、環境光の変化に応じてバックライトの明るさを調整するカメラが開示されている。
【特許文献１】特開昭６１−１９８１９７号公報
【発明の開示】
【発明が解決しようとする課題】
【０００４】
このような従来技術を採用することにより、ある程度は改善されるが、従来の液晶パネルを覆うシェードをカメラ背面に取り付けると、撮影にあたって邪魔となってしまう。また、特許文献１に開示されるカメラにおいても、環境光がバックライトよりも極端に強い場合には、見え難くなるという従来の不具合を解決することができない。
【０００５】
本発明は、このような事情を鑑みてなされたものであり、明るい環境下においても、見易い表示装置を提供することを目的とする。
【課題を解決するための手段】
【０００６】
上記目的を達成するため第１の発明に係わる表示装置は、カラー表示モードとモノクローム表示モードのいずれかを選択的に表示可能な表示手段と、環境光量を検出する検知手段と、この検知手段によって検出された上記環境光量に基づいて、上記表示手段をカラー表示モードまたはモノクローム表示モードに設定する制御手段を具備する。
【０００７】
また、第２の発明に係わる表示装置は、上記第１の発明において、上記環境光量が所定値より大きい場合には、上記表示手段をカラー表示モードからモノクローム表示モードに設定する。
さらに、第３の発明に係わる表示装置は、上記第１の発明において、上記表示手段は、映像を表示する画像表示モードと、文字・記号で制御情報を表示する文字表示モードを選択的表示可能であり、上記制御手段は、上記文字表示モードの際に、上記環境光量に応じてカラー表示モードかモノクローム表示モードのいずれかを選択する。
【０００８】
上記目的を達成するため第４の発明に係わる表示装置は、カラー表示可能な液晶パネルを有する表示手段と、環境光量を検出する検知手段を具備し、上記環境光量が所定値よりも大きい場合には、カラー表示に代えてモノクローム表示を行う。
上記目的を達成するため第５の発明に係わる表示装置は、文字または画像を表示可能な液晶パネルを有する表示手段と、環境光量を検出する検知手段を具備し、上記環境光量が所定値よりも大きい場合には、上記表示パネルの表示を高コントラスト表示状態に設定する。
【０００９】
上記目的を達成するため第６の発明に係わるカメラは、カラー表示モードと高コントラスト表示モードのいずれかを選択的に表示可能な表示手段と、環境光量を検出する検知手段と、この検知手段によって検出された上記環境光量が所定値より明るい場合には、上記表示手段をカラー表示モードから高コントラスト表示モードに切り換える制御手段を具備する。
【００１０】
第７の発明に係わるカメラは、上記第６の発明において、上記カメラは、撮影モード及び撮影条件のいずれかを設定する設定手段と、被写体像を撮像し、画像信号を出力する撮像手段とを有し、上記表示手段は、上記設定手段によって設定された上記撮影モードや上記撮影条件を表示する撮影情報表示モードと、上記画像信号に基づく画像を表示する画像表示モードを有する。
また、第８の発明に係わるカメラは、上記第７の発明において、上記制御手段は、上記撮影情報表示モードが設定されている場合であって、上記環境光量が所定値より明るい場合に、上記表示手段をカラー表示モードから高コントラスト表示モードに切り換える。
さらに、第９の発明に係わるカメラは、上記第６の発明において、上記高コントラストモードは、モノクローム表示である。
さらに、第１０の発明に係わるカメラは、上記第６の発明において、上記検知手段は、上記表示手段の近傍に設けられた測光手段である。
さらに、第１１の発明に係わるカメラは、上記第６の発明において、上記カメラは、さらに上記表示手段を照明する照明手段を有し、上記高コントラスト表示モードに切り替える際には、上記照明手段による照明を消灯させる。
【発明の効果】
【００１１】
本発明によれば、環境光量に応じてモノクローム表示または高コントラスト表示に設定するようにしているので、明るい環境下においても、見易い表示装置を提供することができる。
【発明を実施するための最良の形態】
【００１２】
以下、図面に従って本発明を適用したデジタル一眼レフカメラを用いて好ましい実施形態について説明する。このデジタルカメラは、撮影モードや撮影条件等を表示する表示装置有している。また、撮影レンズによって形成される被写体像を撮像素子上に結像させ、撮影者からの撮影指示に応じて上記撮像素子からの出力に基づく画像を取得し、記録媒体に記録可能であり、この記録された画像は表示装置に再生表示可能である。
【００１３】
図１は、本発明の実施形態に係るデジタル一眼レフカメラの背面からみた外観斜視図である。カメラ本体２００の前面（紙面右側）には、レンズ鏡筒１１が装着されており、上面にはレリーズ釦２１、モードダイヤル２２、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等を行い、第２レリーズスイッチ（以下、２Rと称する）のオンにより撮像素子２１１（図２）の出力に基づいて被写体像の画像データの取り込みを行う撮影動作を実行する。
【００１４】
モードダイヤル２２は回転可能に構成された操作部材であり、モードダイヤル２２上に設けられた撮影モードを表す絵表示または記号に指標に合致させることにより、フルオート撮影モード（ＡＵＴＯ）、プログラム撮影モード（Ｐ）、絞り優先撮影モード（Ａ）、シャッタ撮影優先モード（Ｓ）、マニュアル撮影モード（Ｍ）、ポートレート撮影モード、風景撮影モード、マクロ撮影モード、スポーツ撮影モード、夜景撮影モード等の各撮影モードを選択することができる。
【００１５】
ここで、フルオート撮影モードは、レンズの絞り値、シャッタ速度をカメラで自動的に設定し、暗いときにはフラッシュ（不図示）が自動的にポップアップし、フラッシュ撮影を可能とするモードである。一般的な記念撮影にはこのモードで十分である。プログラム撮影モードは適正露光となる絞り値とシャッタ速度をカメラが自動的に決めて設定するモードである。絞り優先撮影モードは、絞り値を撮影者が設定すると、適正露光となるシャッタ速度をカメラ自動的に決めて設定するモードである。シャッタ優先撮影モードは、シャッタ速度を撮影者が設定すると、適正露光となる絞り値をカメラが自動的に決めて設定するモードである。マニュアル撮影モードは、絞り値とシャッタ速度を撮影者が設定するモードである。
【００１６】
ポートレート撮影モードは、人物撮影をするのに最適なモードであり、風景撮影モードは、風景を撮影するのに最適なモードであり、マクロ撮影モードは被写体に近接した撮影を行うのに最適なモードであり、スポーツ撮影モードはスポーツなどの動きのある被写体を撮影するのに最適なモードであり、夜景撮影モードは、夜景と人物を一緒に撮影するのに最適なモードである。コントロールダイヤル２４は、シャッタ速度、絞り値、ＩＳＯ感度、補正値等の撮影情報の設定を行うための操作部材であり、回転操作により種々の設定値の変更を行うことができる。
【００１７】
カメラ本体２００の背面には、背面液晶モニタ２６、再生釦２７、メニュー釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、ＯＫ釦３１、高画質設定釦３３、標準画質設定釦３４、ホワイトバランス釦３７、ＩＳＯ感度釦３８が配置されている。背面液晶モニタ２６は、撮影済みの被写体像を再生表示し、また、撮影条件やメニューを表示するための表示装置である。これらの表示を行うことができるものであれば、液晶に限らない。再生釦２７は、撮影後に記録した被写体画像を背面液晶モニタ２６に表示させることを指示するための操作釦である。ＳＤＲＡＭ２３８（図２）、記録媒体２４５（図２）にＪＰＥＧ等の圧縮モードで記憶されている被写体の画像データを伸張して表示する。
【００１８】
十字釦３０は背面液晶モニタ２６上で、X方向とＹ方向の２次元方向にカーソルの移動を指示するための操作部材であり、また、記録媒体２４５に記録された被写体像を表示するにあたって、記録媒体２４５の指示にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、背面液晶モニタ２６にメニュー画面が表示される。メニュー画面は複数の階層構造となっており、十字釦３０で各種項目を選択し、ＯＫ釦３１の操作により選択を決定する。
【００１９】
高画質設定釦３３は、撮影者がプリント等に使用する等の用途のために高画質で撮影を行いたい場合に高画質モードを設定するための操作釦である。高画質モードでの撮影条件としては、例えば、ＳＨＱモードが対応し、画像サイズが３２６４×２４４８、圧縮率が１／２．７、ファイルがＪＰＥＧ形式とするが、これに限らず、プリント等に相応しい画質であればよい。また、標準画質設定釦３４は、撮影者が電子メール添付等に使用するためにデータ容量を抑えて撮影したい場合に標準画質モードを設定するための操作釦である。なお、画質は、前述のメニュー釦２８の操作によって画質設定のためのモードを選択し、ＲＡＷ、ＴＩＦＦ、ＳＨＱ、ＳＱの各モード、画像サイズ、圧縮形式を選択することにより、上記高画質モードおよび標準画質モード以外の画質を選択することもできる。
【００２０】
ホワイトバランス釦３７は、ホワイトバランスを設定するための操作釦であり、このホワイトバランス釦３７を操作することによって、背面液晶モニタ２６に設定画面が表示される。設定画面では、オート、太陽光、曇天、日陰、電球、蛍光灯１〜３、ワンショット等の各モードが表示され、コントロールダイヤル２４の回転操作によって選択し、ＯＫ釦３１の操作によって決定することができる。カメラ任せにする場合には、オートを選択し、撮影意図によって、太陽、曇天、日陰、電球、蛍光灯１〜３、ワンショットのいずれかを設定することができる。なお、初期状態では、オートが設定されているので、撮影者が設定しなければ、オートのままである。
【００２１】
ＩＳＯ感度釦３８は、ＩＳＯ感度を設定するための操作釦であり、このＩＳＯ感度釦３８を操作するによって、背面液晶モニタ２６に設定画面が表示される。設定画面では、オート、感度１００〜１６００の各感度が表示され、前述のコントロールダイヤル２４の回転操作によって選択し、ＯＫ釦３１の操作によって決定することができる。カメラ任せにする場合には、オートを選択し、撮影意図がある場合には、感度１００〜１６００の範囲内で撮影者が任意に設定することができる。
【００２２】
カメラ本体２００の側面には、記録媒体収納蓋４０が開閉自在に取り付けられている。この記録媒体収納蓋４０を開放すると、この内部に記録媒体２４５用の装填スロットが設けられている。これらの記録媒体２４５はカメラ本体２００に対して、脱着自在に装填可能となっている。
【００２３】
次に、図２は本発明の一実施形態に係るデジタル一眼レフカメラの電気系を主とする全体構成を示すブロック図である。本実施形態に係わるデジタル一眼レフカメラは、交換レンズ１００とカメラ本体２００とから構成される。本実施形態では、交換レンズ１００とカメラ本体２００は別体で構成され、通信接点３００にて電気的に接続されているが、交換レンズ１００とカメラ本体２００を一体に構成することも可能である。
【００２４】
交換レンズ１００の内部には、焦点調節および焦点距離調節用のレンズ１０１、１０２と、開口量を調節するための絞り１０３が配置されている。レンズ１０１、１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御して自動焦点合わせや、ズーム駆動を行うとともに、絞り駆動機構１０９を制御して絞り値制御を行う。
【００２５】
カメラ本体２００内には、被写体像を観察光学系に反射するためにレンズ光軸に対して４５度傾いた位置と、被写体像を撮像素子２１１に導くために跳ね上がった位置との間で、回動可能な可動反射ミラー２０１が設けられている。この可動反射ミラー２０１の上方には、被写体像を結像するためのフォーカシングスクリーン２０３が配置され、このフォーカシングスクリーン２０３の上方には、被写体像を左右反転させるためのペンタプリズム２０４が配置されている。このペンタプリズム２０４の出射側(図２で右側)には被写体像観察用の接眼レンズ２０５が配置され、この脇であって被写体像の観察に邪魔にならない位置に測光センサ２０６が配置されている。
【００２６】
この測光センサ２０６は被写体像を分割して測光する多分割測光素子で構成されている。測光センサ２０６の出力は、測光処理回路２１２に接続されており、測光処理回路２１２は測光センサ２０６の出力に基づいて、被写体輝度に応じた被写体輝度信号を出力する。また、カメラ本体２００の背面側には、図示しない窓を通して入射する光を測光するための外光センサ２１４が設けられている。この外光センサ２１４は、背面液晶モニタ２６の近傍であって、背面液晶モニタ２６の表示面に入射する環境光を測定できる位置に配置する。
【００２７】
上述の可動反射ミラー２０１の中央付近はハーフミラーで構成されており、この可動反射ミラー２０１の背面には、ハーフミラー部で透過した被写体光をカメラ本体２００の下部に反射するためのサブミラー２０２が設けられている。このサブミラー２０２は、可動反射ミラー２０１に対して回動可能であり、可動反射ミラー２０１が跳ね上がっているときには、ハーフミラー部を覆う位置に回動し、可動反射ミラー２０１が被写体像観察位置にあるときには、図示する如く可動反射ミラー２０１に対して開いた位置にある。この可動反射ミラー２０１は可動ミラー駆動機構２２２によって駆動されている。また、サブミラー２０２の下方には測距センサ２１８が配置されており、この測距センサ２１８の出力は測距回路２１９に接続されている。測距センサ２１８と測距回路２１９によって、レンズ１０１、１０２によって結像される被写体像の焦点ズレ量を測定することができる。
【００２８】
可動反射ミラー２０１の後方には、露光時間制御用のフォーカルプレーンタイプのシャッタ２１３が配置されており、このシャッタ２１３はシャッタ駆動機構２２１によって駆動制御される。シャッタ２１３の後方には撮像素子２１１が配置されており、レンズ１０１、１０２によって結像される被写体像を電気信号に光電変換する。なお、撮像素子２１１としては、ＣＣＤ（Charge Coupled Devices）や、ＣＭＯＳ（Complementary Metal Oxide Semiconductor）等の二次元撮像素子を使用することができる。上述のシャッタ２１３と撮像素子２１１の間には、除塵機構を構成する防塵フィルタ２０７と、この防塵フィルタ２０７の周縁部に固着された圧電素子２０８が配置されている。この圧電素子２０８は防塵フィルタ駆動回路２２０によって駆動される。
【００２９】
防塵フィルタ２０７と撮像素子２１１との間には、被写体像の高周波成分をカットし、低周波のみを通過させるための光学的ローパスフィルタ２０９と、赤外光成分をカットする赤外カットフィルタ２１０が配置されている。これらの防塵フィルタ２０７、圧電素子２０８、ローパスフィルタ２０９、赤外カットフィルタ２１０および撮像素子２１１は、撮像素子ユニット２２４を構成しており、この撮像素子ユニット２２４は、塵埃等が侵入し難いように、隙間が少なくなるように構成されている
【００３０】
撮像素子２１１は撮像素子駆動回路２２３に接続され、入出力回路２３９からの制御信号によって駆動制御される。撮像素子駆動回路２２３によって、撮像素子２１１から出力された光電アナログ信号が増幅され、アナログデジタル変換（ＡＤ変換）される。撮像素子駆動回路２２３はＡＳＩＣ(Application Specific Integrated Circuit  特定用途向け集積回路)２６２内の画像処理回路２２７に接続され、この画像処理回路２２７によってデジタル画像データのデジタル的増幅（デジタルゲイン調整処理）、色補正、ガンマ(γ)補正、コントラスト補正、白黒モード・カラーモード処理といった各種の画像処理がなされる。
【００３１】
画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検知回路２５３が接続されている。
【００３２】
データバス２６１に接続されているボディＣＰＵ２２９は、このデジタルカメラの動作を制御するものである。またデータバス２６１に接続されている圧縮伸張回路２３１はＳＤＲＡＭ２３８に記憶された画像データをＪＰＥＧ等の静止画用の圧縮形式で圧縮し、また画像再生時に伸張するための回路である。なお、画像圧縮はＪＰＥＧに限らず、他の圧縮方法も適用できる。
【００３３】
データバス２６１に接続されたビデオ信号出力回路２３３は液晶モニタ駆動回路２３５を介して背面液晶モニタ２６に接続される。ビデオ信号出力回路２３３は、ＳＤＲＡＭ２３８、または記録媒体２４５に記憶された画像データを、背面液晶モニタ２６に表示するためのビデオ信号に変換するための回路である。
【００３４】
背面液晶モニタ２６はカメラ本体２００の背面に配置されるが、撮影者が観察できる位置であれば、背面に限らないし、また液晶に限らず他の表示装置でも構わない。背面液晶モニタ２６には、液晶表示を裏面側から照明するために、バックライト装置が液晶表示板の背面に配置されている。ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。
【００３５】
上述の測光処理回路２１２、外光センサ２１４、測距回路２１９、防塵フィルタ駆動回路２２０、シャッタ駆動機構２２１、可動ミラー駆動機構２２２、撮像素子駆動回路２２３に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００３６】
データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、マイクロドライブ（登録商標）などの様なハードディスクユニットや無線通信ユニットを接続可能に構成してもよい。
【００３７】
データバス２６１に接続されているフラッシュメモリ制御回路２４７は、フラッシュメモリ（Flash Memory）２４９に接続され、このフラッシュメモリ２４９は、カメラのフローを制御するためのプログラムが記憶されている。ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００３８】
カメラ本体２００や交換レンズ１００のパワー供給の制御を行うためのパワースイッチレバーに連動してオン・オフするパワースイッチ２５７と、シャッタレリーズ釦２１に連動するスイッチ、再生モードを指示する再生釦２７に連動するスイッチ、背面液晶モニタ２６の画面でカーソルの動きを指示する十字釦３０に連動するスイッチ、撮影モードを指示するモードダイヤル２２に連動するスイッチ、選択された各モード等を決定するＯＫ釦３１に連動するＯＫスイッチ、除塵釦に連動する除塵スイッチ等の各種スイッチ２５５と、着脱検知スイッチ２５９は、スイッチ検知回路２５３を介してデータバス２６１に接続されている。
【００３９】
なお、レリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピントあわせ、被写体輝度の測光等の撮影準備動作を行い、第２レリーズスイッチ（以下、２Ｒと称する）のオンにより撮像素子の出力に基づいて被写体像の画像データの取り込みを行う撮影動作を実行する。また、除塵スイッチは、撮影者が除塵動作を指示する際に操作する除塵釦に連動するスイッチである。着脱検知スイッチ２５９は、カメラ本体２００に交換レンズ１００が装着状態にあるか否かを検知するスイッチである。
【００４０】
次に、本発明の一実施形態に係るデジタル一眼レフカメラの動作を図３乃至図５に示すフローチャートを用いて説明する。まず、カメラ本体２００に電源電池が装填される等により、パワーオンリセットがなされると、図示されていないが、初期設定を行う。初期設定では、各電子素子のポートやメモリが初期化され、また機械部品が初期位置となるようにリセット動作がなされる。続いて、パワースイッチ２５７の状態を検出する（Ｓ１）。検出の結果、パワースイッチ２５７がオフ状態の場合には、スリープ状態に入る（Ｓ３）。このスリープ状態では、パワースイッチ２５７の割り込み処理のみを許可し、それ以外のスイッチの検出を行わない等、カメラ動作を停止し、電源消費を低減させている。
【００４１】
スリープ状態においてパワースイッチ２５７がオンとなった場合、もしくはステップＳ１において検出の結果、パワースイッチがオンであった場合には、塵埃除去動作を行う（Ｓ５）。この塵埃除去動作は、防塵フィルタ駆動回路２２０より圧電素子２０８に超音波信号を供給し、防塵フィルタ２０７を超音波で振動させることにより、防塵フィルタ２０７に付着した塵埃を除去することにより行う。
【００４２】
塵埃除去動作が終わると、次に、表示タイマをリセットし、スタートさせる（Ｓ７）。表示タイマは、後述するステップＳ１３において、撮影情報を背面液晶モニタ２６に表示させるが、その際、所定時間のみ表示するためのタイマである。表示タイマがスタートすると、次に、撮影モードと撮影条件の読み込みを行う（Ｓ９）。撮影モードと撮影条件は、モードダイヤル２２、コントロールダイヤル２４、メニュー釦２８、十字釦３０、ＯＫ釦３１、高画質設定釦３３、標準画質設定釦３４、ホワイトバランス釦３７、ＩＳＯ感度釦３８等の各種操作部材によって設定されるので、これらのモードや条件を読み込む。なお、撮影者によって設定されていない場合には、予め設定されているデフォルト値とする。
【００４３】
次に、測光・露光量の演算を行う（Ｓ１１）。測光は、測光センサ２０６・測光処理回路２１２の出力に基づいて被写体の輝度を測定する。露光量の演算は、測定された被写体輝度に基づいて、公知のアペックス演算等により適正露光量を得るための絞り値、シャッタ速度やＩＳＯ感度等を求める。続いて、ステップＳ９で読み込んだ撮影モード・撮影条件やステップＳ１１で求めた露光量演算の結果等、撮影情報表示を行う（Ｓ１３）。この撮影情報表示については、図４を用いて後述する。
【００４４】
撮影情報表示を行うと次に、再生モードか否かの判定を行う（Ｓ１５）。ユーザが記録媒体２４５等に記録されている画像を再生したい場合には、再生釦２７を操作する。判定の結果、再生釦２７が操作された場合には、再生モードを実行し（Ｓ２３）、再生モードが終了すると、ステップＳ７に戻り、上述のステップを繰り返す。
【００４５】
ステップＳ１５における判定の結果、再生モードが設定されていなかった場合には、メニューモードが設定されているか否かの判定を行う（Ｓ１７）。撮影者が撮影条件等種々の設定条件の変更を望む場合には、メニュー釦２８を操作し、背面液晶モニタ２６にメニュー画面を表示させ、このメニュー画面を通じて、種々の設定条件の変更を行う。なお、後述するバックライト装置２６ａによるバックライト照明をオフにするか否かの設定も、このメニューモードにおいて行う。判定の結果、メニューモードが選択された場合には、メニュー設定動作に進み（Ｓ２５）、メニュー設定動作が終わると、ステップＳ７に戻り、上述のステップを繰り返す。
【００４６】
ステップＳ１７における判定の結果、メニューモードが設定されていなかった場合には、レリーズ釦２１が半押しされているか、すなわち、１Ｒスイッチがオンか否かの判定を行う（Ｓ１９）。判定の結果、１Ｒスイッチがオンであった場合には、撮影動作に進む（Ｓ２７）。この撮影動作のサブルーチンについては、図５を用いて後述する。撮影動作が終わると、ステップＳ７に戻り、上述のステップを繰り返す。
【００４７】
ステップＳ１９における判定の結果、１Ｒスイッチがオンではなかった場合には、パワースイッチ２５７がオンか否かの判定を行う（Ｓ２１）。判定の結果、オンであった場合には、ステップＳ３に戻り、スリープ状態になる。一方、判定の結果、パワースイッチ２５７がオンであった場合には、ステップＳ９に戻り、前述の動作を繰り返す。パワースイッチ２５７がオンであり、カメラの操作スイッチ類が何等操作されていないと、ステップＳ９乃至ステップＳ２１を、順次、繰り返し実行することになる。
【００４８】
次に、ステップＳ１３の撮影情報表示のサブルーチンについて、図４を用いて説明する。まず、メニューモードにおいて、バックライトオフ設定がなされたか否かの判定を行う（Ｓ３１）。判定の結果、バックライトオフ設定がなされていない場合には、続いて、表示タイマがカウントアップしたか否かの判定を行う（Ｓ３３）。表示タイマはステップＳ７において、リセット後、カウントをスタートしており、表示タイマのスタート後、所定時間が経過したか否かを判定する。
【００４９】
ステップＳ３３における判定の結果、カウントアップしていなければ、次に、高輝度か、すなわち輝度値（ＢＶ）が１５を越えているか否かの判定を行う。この判定は、外光センサ２１４によって行われた環境光の輝度に基づいて行う。
【００５０】
ステップＳ３１からステップＳ３５の判定の結果、いずれの判定もＮｏであった場合、すなわち、バックライトがオフ設定となっておらず、表示タイマがカウントアップしておらず、かつ外光センサによる輝度（ＢＶ）が１５以下であった場合には、バックライト装置２６ａによるバックライト照明を行い（Ｓ３７）、背面液晶モニタ２６に通常表示を行う（Ｓ３９）。
【００５１】
この通常表示は、図６（ａ）に示すように、撮影情報を背面液晶モニタ２６にカラー表示し、背面液晶モニタ２６の表示面における背景２６ｃは灰色（図中では斜線で表示）で、撮影モード、ＩＳＯモード、ホワイトバランス（ＷＢ）モード等の撮影モードや撮影条件等の表示欄２６ｄは薄青色（図中では砂目で表示）で、文字・記号・絵文字２６ｅは各種色文字で表示している。なお、色文字は、黒色を基本とし、警告表示や、背景色との関係で見にくい場合には、黒色以外の色を使用するようにしている。このようなカラー表示は、ユーザにとって直感的に判断しやすく、また誤認し難いという利点がある。
【００５２】
一方、ステップＳ３１からステップＳ３５の判定の結果、いずれかの判定がＹｅｓであった場合、すなわち、バックライトがオフ設定になっているか、所定時間が経過し表示タイマがカウントアップしたか、または外光センサによる輝度（ＢＶ）が１５を越えている場合には、バックライト装置２６ａによるバックライト照明を消灯し（Ｓ４１）、高コントラスト表示を行う（Ｓ４３）。
【００５３】
高コントラスト表示は、本実施形態においては、図６（Ｂ）に示すように、白黒表示で行う。すなわち、表示欄も含めて背景２６ｆは白色とし、文字・記号・絵文字２６ｇは黒色で表示する。ステップＳ３９またはＳ４３において、背面液晶モニタ２６に撮影情報の表示を行うと、元のルーチンに戻る。
【００５４】
このように、本実施形態においては、撮影情報を背面液晶モニタ２６に表示する際、背面液晶モニタ２６の周囲が非常に高輝度な場合には、高コントラスト表示に切り換えるようにしている。このため、背面液晶モニタ２６の表示画面の反射が強く、通常のカラー表示では撮影情報を視認することが困難な状況であっても、高コントラスト表示であるために、撮影情報の視認が容易となる。また、高コントラスト表示の際に、バックライト装置２６ａを消灯させているのは、高輝度下では、バックライト装置２６ａを点灯させても、高輝度下においてで照明効果はなく、また外光によって背面液晶モニタ２６の表示を十分、視認することができるためである。
【００５５】
なお、本実施形態においては、高コントラスト表示として、白黒表示を採用していたが、これに限らず、白色と青色の２色の組み合わせ等、モノクローム表示等でも良く、中間調がなくコントラストが強調される表示方法であれば良い。また、高輝度か否かの判定にあたって、本実施形態においては輝度値（ＢＶ）が１５より大きいか否かで判定したが、輝度値はこの値に限らず、背面液晶モニタ２６の表示面の状況等によって変更しても良い。さらに、高輝度か否かの判定にあたって、外光センサ２１４の出力を用いていたが、多少精度が落ちるが、測光センサ２０６の出力を兼用するようにしても良い。
【００５６】
次に、ステップＳ２７の撮影動作のサブルーチンについて図５を用いて説明する。このサブルーチンは前述したように、レリーズ釦２１の半押しがなされると実行される。まず、背面液晶モニタ２６に表示していた撮影情報の表示オフを行う（Ｓ５１）。続いて、測距・自動焦点調節を行う（Ｓ５３）。測距は、サブミラー２０２が被写体光束の一部が測距センサ２１８に反射し、この被写体光束を用いて測距回路２１９やボディＣＰＵ２２９等はＴＴＬ位相差法によって焦点ズレ量を求めることによって行う。ここで検出された焦点ズレ量に基づいて、レンズＣＰＵ１１１を介して、光学系駆動機構１０７によって合焦位置にレンズ１０１、１０２を駆動することによって自動焦点調節を行う。
【００５７】
次に、測光・露光量演算を行う（Ｓ５５）。測光は、可動反射ミラー２０１によって反射された被写体光束を測光センサ２０６が受光し、測光処理回路２１２によって処理することにより、被写体輝度ＢＶを求める。ボディＣＰＵ２２９は、この被写体輝度ＢＶを用いて露光量ＥＶを求め、さらに撮影モード等に従ってシャッタ速度や絞り等の露出条件を求める。
【００５８】
次に、レリーズ釦２１の全押し操作がなされているか、すなわち２Ｒがオンか否かについて判定する（Ｓ５７）。判定の結果、オフであった場合には、ステップＳ５９に進み、１Ｒがオンか否かの判定を行う。レリーズ釦２１の半押し動作により、この撮影動作のサブルーチンにジャンプし、レリーズ釦２１が半押しのままの場合には、このステップＳ５７とＳ５９の判定を繰り返し行う待機状態となる。レリーズ釦２１から手が離れ、１Ｒがオフとなると、パワーオンリセットのルーチンのステップＳ７に戻る。
【００５９】
ステップＳ５７に戻り、判定の結果、２Ｒスイッチがオンであった場合、すなわちレリーズ釦２１が全押しされた場合には、静止画像取得のための撮像動作に移る。まず、ステップＳ６１において、可動反射ミラー２０１の退避動作を行う。退避動作によって、可動反射ミラー２０１は上昇回動し、撮影レンズであるレンズ１０１、１０２の光軸から退避する。
【００６０】
続いて、設定絞り値またはＳ５５で演算された絞り値まで絞り１０３の絞込み動作を、レンズＣＰＵ１１１を介して絞り駆動機構１０９によって行う。絞込み動作が終わると、次に撮像素子２１１による露光動作を行う（Ｓ６５）。すなわち、可動反射ミラー２０１は退避位置に移動していることから、レンズ１０１、１０２を通過した被写体光束の全部が、撮像素子２１１上に結像している。この状態で撮像素子２１１の電子シャッタのリセットを解除すると共に、シャッタ２１３の先幕の走行を開始させ、被写体像の光電変換電流の電荷蓄積を開始する。
【００６１】
予め手動設定若しくはステップＳ５５で設定された露光時間が経過すると、シャッタ２１３の後幕の走行を開始させ、撮像素子２１１の電子シャッタは光電変換信号の電荷蓄積を停止する。なお、撮像素子２１１の電子シャッタによって露光時間を制御していたが、これに限らず、シャッタ２１３のみで露光時間を制御しても良いし、逆に電子シャッタのみで露光時間を制御しても良い。後者の場合には、シャッタ２１３を省略することができる。
【００６２】
続いて、絞り１０３の開放動作の指示をレンズＣＰＵ１１１に出力し（Ｓ６７）、図示されていないが、可動反射ミラー２０１をダウンさせ復帰させる。次に、撮像素子２１１で電荷蓄積された画像信号の読み出しを行い（Ｓ６９）、画像処理回路２２７等にて画像処理を行う（Ｓ７１）。圧縮伸張回路２３１において信号圧縮等の処理を行った後、記録媒体２４５に画像データの記録を行う（Ｓ７３）。画像データの記録が終わると、ステップＳ７５において、１Ｒスイッチがオンであるか、すなわちレリーズ釦２１が半押し状態であるか否かを判定する。１Ｒスイッチがオフとなると、パワーオンリセットのルーチンに戻る。
【００６３】
以上のように本発明の一実施形態においては、通常表示モードとしてカラー表示モードを、高コントラスト表示モードとして白黒表示モードを選択的に表示可能な表示手段としての背面液晶モニタ２６と、環境光量を検出する検知手段としての外光センサ２１４を備えており、この検知手段によって検出された環境光量に基づいて、表示手段をカラー表示モードまたは高コントラスト表示モードに設定している。このため、周囲が明るい環境下になっても、表示装置が見易いという効果を奏する。
【００６４】
なお、本実施形態においては、再生画像の表示と、撮影情報の表示の両方を背面液晶モニタ２６で表示していたが、それぞれ専用の表示装置を設けるようにしても良い。ただし、再生画像を表示する場合には、環境光が高輝度であってもカラー表示を維持し、高コントラスト表示に切り換えない方が良い。これは、画像を高コントラスト化すると、かえって見え難くなるという理由からである。また、メニュー設定動作（Ｓ２５）において、環境光が高輝度の場合には、高コントラスト表示モードに切り換えるようにしても勿論構わない。さらに、フローチャート上に表示していないが、高画質設定釦３３、標準画質設定釦３４、ホワイトバランス釦３７、ＩＳＯ感度釦３８を操作して、背面液晶モニタ２６上で、各設定動作を行う際にも、環境光が高輝度の場合には、高コントラスト表示モードに切り換えるようにしても良い。
【００６５】
本発明の実施形態の説明にあたっては、デジタル一眼レフカメラを例に挙げたが、これに限らず、コンパクトデジタルカメラ、携帯電話等の電子機器の表示装置であれば適用できることは勿論である。
【図面の簡単な説明】
【００６６】
【図１】本発明の一実施形態に係わるデジタル一眼レフカメラの外観斜視図である。
【図２】本発明の一実施形態に係わるデジタル一眼レフカメラの全体構成を示すブロック図である。
【図３】本発明の一実施形態におけるパワーオンリセットのフローチャートである。
【図４】本発明の一実施形態における撮影情報表示動作のサブルーチンのフローチャートである。
【図５】本発明の一実施形態における撮影動作のサブルーチンのフローチャートである。
【図６】本発明の一実施形態における背面液晶モニタにおける表示画面を示す、（Ａ）は通常表示における表示画面を示し、（Ｂ）は高コントラスト表示における表示画面を示す。
【符号の説明】
【００６７】
２１  レリーズ釦
２２  モードダイヤル
２４  コントロールダイヤル
２６  背面液晶モニタ
２６ａ  バックライト装置
２６ｃ  背景
２６ｄ  表示欄
２６ｅ  文字・記号・絵文字
２６ｆ  背景
２６ｇ  文字・記号・絵文字
２８  メニュー釦
３０  十字釦
３１  ＯＫ釦
３３  高画質設定釦
３４  標準画質設定釦
３７  ホワイトバランス釦
３８  ＩＳＯ感度釦
２０６  測光センサ
２１１  撮像素子
２１２  測光処理回路
２１３  シャッタ
２１４  外光センサ
２２９  ボディＣＰＵ
【図６】
2008170883.tif 000003
【図１】
2008170883.tif 000004
【図２】
2008170883.tif 000005
【図３】
2008170883.tif 000006
【図４】
2008170883.tif 000007
【図５】
2008170883.tif 000008